(57)【要約】      （修正有）【課題】高価な大型医療機器・装置としての高密度焦点式超音波装置に代わり、低価格小型の日常生活の使用に適し、さらに、マイナスイオンと遠赤外線の発生機能を備えた超音波と微細電流機能が複合された美容機器を提供する。【解決手段】本体１００、本体前面に備え付けられた第１ディスプレー部、本体側面に備え付けられたボタン部、本体内部に配置された制御回路部、本体上部に挿入して装着されたカートリッジ部５００、本体の下部に備え付けられて超音波又は微細電流を肌に照射するためのヘッド部６００を備え、前記ヘッド部６００は、肌と接触して微細電流を流すための導体部を備え、その導体部に、多元素鉱物を粉砕して形成した多元素鉱物粉状体を含有している。【選択図】図３
2018075323.tif 000002
【特許請求の範囲】
【請求項１】
本体、
本体前面に備え付けられた第１ディスプレー部、
本体側面に備え付けられたボタン部、
本体内部に配置された制御回路部、
本体上部に挿入して装着されたカートリッジ部、
本体に備え付けられて超音波又は微細電流を肌に照射するためのヘッド部を備え、
前記ヘッド部は、肌と接触して微細電流を流すための導体部を備え、その導体部に、多元素鉱物を粉砕して形成した多元素鉱物粉状体を含有させたことを特徴とするスキンケアのための超音波及び微細電流の複合装置。
【請求項２】
前記導体部に、遠赤外線放射材料を粉砕して形成した遠赤外線放射粉状体を含有させたことを特徴とする請求項１記載のスキンケアのための超音波及び微細電流の複合装置。
【請求項３】
前記ヘッド部は、肌との接触を感知するセンサー部を備えたことを特徴とする請求項１又は２記載のスキンケアのための超音波及び微細電流の複合装置。
【請求項４】
前記センサー部は、光センサー又は接触センサーからなり、
前記センサー部で肌との接触を感知した場合のみ超音波が照射される構成であることを特徴とする請求項３記載のスキンケアのための超音波及び微細電流の複合装置。
【請求項５】
前記カートリッジ部は、
内部に超音波媒質が充填された外部カートリッジ、及び外部カートリッジ内部に配置されて超音波駆動信号を受信し超音波を発生させる内部カートリッジから構成されることを特徴とする請求項１又は２記載のスキンケアのための超音波及び微細電流の複合装置。
【請求項６】
前記外部カートリッジは、
本体から超音波振動に必要な電気的信号の供給を受ける連結部と、超音波媒質が充填された媒質貯蔵部と、前記連結部が設けられると共に超音波媒質が外部に漏れないように媒質貯蔵部に装着されたカートリッジケースを有し、
さらに、超音波媒質を通じて伝達される超音波を肌に伝達する透過用フィルム、及び  超音波媒質が外部に漏れることを防止して、上記の透過用フィルムを固定するリングを備えていることを特徴とする請求項５記載のスキンケアのための超音波及び微細電流の複合装置。
【請求項７】
前記媒質貯蔵部は、カートリッジケースから遠くなるに従って内部が狭まる形状とされていることを特徴とする請求項６記載のスキンケアのための超音波及び微細電流の複合装置。
【請求項８】
前記内部カートリッジは、
上部側が円弧状に膨らんだドーム形状の超音波発生振動素子を備えたことを特徴とする請求項６記載のスキンケアのための超音波及び微細電流の複合装置。
【請求項９】
前記超音波発生振動素子は、直径が２ｍｍ以上２０ｍｍ以下の大きさを備えていることを特徴とする請求項８記載のスキンケアのための超音波及び微細電流の複合装置。
【請求項１０】
前記外部カートリッジの超音波発生振動素子とフィルム部の間には、シリコーンジェル、シリコーンオイル、脱イオン化水のいずれかの媒質が充填されていることを特徴とする請求項５記載のスキンケアのための超音波及び微細電流の複合装置。
【請求項１１】
前記第１ディスプレー部は、
超音波が照射される回数を表示する照射回数表示部、及び超音波又は微細電流の供給状態を表示する状態表示部を備えたことを特徴とする請求項１又は２記載のスキンケアのための超音波及び微細電流の複合装置。
【請求項１２】
カートリッジケース上部には、カートリッジの超音波照射残量数を表示し、カートリッジ取り換え時期に対する情報を提供する第２ディスプレー部が備えられていることを特徴とする請求項６記載のスキンケアのための超音波及び微細電流の複合装置。
【請求項１３】
前記カートリッジ部は、本体に着脱可能とされていることを特徴とする請求項１又は２記載のスキンケアのための超音波及び微細電流の複合装置。
【請求項１４】
本体内部には本体の動き又は位置を感知する加速度センサーが配置されており、
超音波が照射される際、加速度センサーが本体の動き又は位置を感知して、本体の動きが停止していることを感知した場合に、超音波は１回照射後、停止されることを特徴とする請求項１又は２記載のスキンケアのための超音波及び微細電流の複合装置。
【請求項１５】
前記制御回路部は、
外部電源から電源供給を受けて、それぞれの回路を構成するブロックに作動電圧を供給する電源供給部；
電源供給部から供給される電圧を受けて、超音波又は微細電流の作動を制御する制御部；
微細電流を肌に供給するため、微細電流発生シグナルを形成する微細電流生成部；
超音波を肌に供給するため、超音波発生シグナルを形成する超音波生成部、及び超音波生成部の信号を受けて、超音波を所定の共振周波数に合わせ増幅させる超音波増幅部を備えていることを特徴とする請求項１又は２記載のスキンケアのための超音波及び微細電流の複合装置。
【請求項１６】
前記制御回路部は、
超音波増幅部の作動状態を感知し、作動状態によって制御信号を発信するセンサー作動の監視部を備えることを特徴とする請求項１５記載のスキンケアのための超音波及び微細電流の複合装置。
【請求項１７】
前記制御回路部は、
超音波増幅部において、共振周波数の偏差が発生した場合、発生した偏差を整合するためのオートトレーシング機能を備えていることを特徴とする請求項１５記載のスキンケアのための超音波及び微細電流の複合装置。
【請求項１８】
前記電源供給部は、
外部電源から供給された電源を保存するバッテリー部、及びバッテリー部から電圧の供給を受けて、供給された電圧を昇圧又は減圧する機能を有することを特徴とする請求項１５記載のスキンケアのための超音波及び微細電流の複合装置。
【請求項１９】
前記制御部は、
超音波生成部が作動すれば、微細電流生成部の作動を中止させ、
微細電流生成部が作動すれば、超音波生成部の作動を中止させる機能を備えることを特徴とする請求項１５記載のスキンケアのための超音波及び微細電流の複合装置。
【請求項２０】
前記制御部は、
超音波発生信号によって作動する超音波増幅部の作動回数をカウントする機能をもつことを特徴とする請求項１５記載のスキンケアのための超音波及び微細電流の複合装置。
【発明の詳細な説明】
【技術分野】
【０００１】
本発明はスキンケアを目的する装置に関するもので、詳しくはマイナスイオン及び遠赤外線の発生効果を備え、さらに、超音波を照射する機能と微細電流を供給する機能が複合された複合装置に関するものである。
【背景技術】
【０００２】
近年、スキンケアに対する関心が増加しつつあり、特に顔肌のたるみ、シワの改善など、弾力を維持することに関心が高まっている。
顔の肌弾力の再生又は改善を通じて垂れた部位やシワを除去するために医療用施術機器として、侵襲的バイポーラ型高周波、医療手術として糸によるフェイスリフトのような施術方法もあるが、最近は、施術後にダウンタイムがない非侵襲的方法として高密度焦点式超音波技術(High Intensity Focused Ultrasound : HIFU)を利用した施術機器もよく使われている。
【０００３】
この高密度焦点式超音波技術は、肌組織の表面から一定の深さに焦点を設定して、焦点にエネルギーを集束させる作動を誘導する。これを通じて、適切な強度を設定し熱凝固などの熱変成を発生させて施術対象者の表皮層を損傷させず、真皮層内にエネルギーを伝達する。伝達されたエネルギーを通じて微細な熱凝固部位が形成され、漸進的なコラーゲン生成作用が発生して肌の再生により弾力を改善する。
【０００４】
このような高密度焦点式超音波施術は、圧電素子を基盤にした超音波振動子を駆動するが、圧電振動子の場合、高い電圧と高い電流の条件で作動しなければならないのでこれを稼働するために多くの装置が要求され、装置が大型化するという問題があった。
この装置は、高電圧及び高電流を発生する装置及び各種の制御機器が併合された美容機器が備えられて、美容機器にはセラミック振動子が装着されたカートリッジが繋がって作動する。超音波施術のためには位置が固定された装置に連結されたカートリッジを利用することが必須であり、この装置を稼働するためには特別のオペレータが必要であるいう問題もあった。
このような装置として特許文献１，２の技術が知られている。
【先行技術文献】
【特許文献】
【０００５】
【特許文献１】特開２０１３−１４６５９８号公報
【特許文献２】特開２０１４−１４５１６号公報
【発明の概要】
【発明が解決しようとする課題】
【０００６】
かかる状況下、上記と同様な原理で駆動し、高価でなく、日常生活に美容機器として使用できる低エネルギーの小型化された機器が市場のニーズとして高まっている。
本発明はかかるニーズに対応するためになされたものであって、その目的とするところは、高価な大型医療機器・装置としての高密度焦点式超音波装置に代わり、低価格小型の日常生活の使用に適し、さらに、マイナスイオン及び遠赤外線の発生機能を備え、超音波(Moderate Intensity Focused Ultrasound: MIFU)と微細電流機能が複合された美容機器としての複合装置を提供することにある。
【課題を解決するための手段】
【０００７】
前記目的を達成するための手段として、本発明請求項１記載のスキンケアのための超音波及び微細電流の複合装置では、本体、本体前面に備え付けられた第１ディスプレー部、  本体側面に備え付けられたボタン部、本体内部に配置された制御回路部、本体上部に挿入して装着されたカートリッジ部、本体に備え付けられて超音波又は微細電流を肌に照射するためのヘッド部を備え、前記ヘッド部は、肌と接触して微細電流を流すための導体部を備え、その導体部に、多元素鉱物を粉砕して形成した多元素鉱物粉状体を含有させたことを特徴とする。
【０００８】
請求項２記載のスキンケアのための超音波及び微細電流の複合装置では、請求項１記載のスキンケアのための超音波及び微細電流の複合装置において、前記導体部に、遠赤外線放射材料を粉砕して形成した遠赤外線放射粉状体を含有させたことを特徴とする。
【０００９】
請求項３記載のスキンケアのための超音波及び微細電流の複合装置では、請求項１又は２記載のスキンケアのための超音波及び微細電流の複合装置において、前記ヘッド部は、肌との接触を感知するセンサー部を備えたことを特徴とする。
【００１０】
請求項４記載のスキンケアのための超音波及び微細電流の複合装置では、請求項３記載のスキンケアのための超音波及び微細電流の複合装置において、前記センサー部は、光センサー又は接触センサーからなり、前記センサー部で肌との接触を感知した場合のみ超音波が照射される構成であることを特徴とする。
【００１１】
請求項５記載のスキンケアのための超音波及び微細電流の複合装置では、請求項１又は２記載のスキンケアのための超音波及び微細電流の複合装置において、前記カートリッジ部は、内部に超音波媒質が充填された外部カートリッジ、及び外部カートリッジ内部に配置されて超音波駆動信号を受信し超音波を発生させる内部カートリッジから構成されることを特徴とする。
【００１２】
請求項６記載のスキンケアのための超音波及び微細電流の複合装置では、請求項５記載のスキンケアのための超音波及び微細電流の複合装置において、前記外部カートリッジは、本体から超音波振動に必要な電気的信号の供給を受ける連結部と、超音波媒質が充填された媒質貯蔵部と、前記連結部が設けられると共に超音波媒質が外部に漏れないように媒質貯蔵部に装着されたカートリッジケースを有し、さらに、超音波媒質を通じて伝達される超音波を肌に伝達する透過用フィルム、及び  超音波媒質が外部に漏れることを防止して、上記の透過用フィルムを固定するリングを備えていることを特徴とする。
【００１３】
請求項７記載のスキンケアのための超音波及び微細電流の複合装置では、請求項６記載のスキンケアのための超音波及び微細電流の複合装置において、前記媒質貯蔵部は、カートリッジケースから遠くなるに従って内部が狭まる形状とされていることを特徴とする。
【００１４】
請求項８記載のスキンケアのための超音波及び微細電流の複合装置では、請求項６記載のスキンケアのための超音波及び微細電流の複合装置において、前記内部カートリッジは、上部側が円弧状に膨らんだドーム形状の超音波発生振動素子を備えたことを特徴とする。
【００１５】
請求項９記載のスキンケアのための超音波及び微細電流の複合装置では、請求項８記載のスキンケアのための超音波及び微細電流の複合装置において、前記超音波発生振動素子は、直径が２ｍｍ以上２０ｍｍ以下の大きさを備えていることを特徴とする。
【００１６】
請求項１０記載のスキンケアのための超音波及び微細電流の複合装置では、請求項５記載のスキンケアのための超音波及び微細電流の複合装置において、前記外部カートリッジの超音波発生振動素子とフィルム部の間には、シリコーンジェル、シリコーンオイル、脱イオン化水のいずれかの媒質が充填されていることを特徴とする。
【００１７】
請求項１１記載のスキンケアのための超音波及び微細電流の複合装置では、請求項１又は２記載のスキンケアのための超音波及び微細電流の複合装置において、前記第１ディスプレー部は、超音波が照射される回数を表示する照射回数表示部、及び超音波又は微細電流の供給状態を表示する状態表示部を備えたことを特徴とする。
【００１８】
請求項１２記載のスキンケアのための超音波及び微細電流の複合装置では、請求項６記載のスキンケアのための超音波及び微細電流の複合装置において、カートリッジケース上部には、カートリッジの超音波照射残量数を表示し、カートリッジ取り換え時期に対する情報を提供する第２ディスプレー部が備えられていることを特徴とする。
【００１９】
請求項１３記載のスキンケアのための超音波及び微細電流の複合装置では、請求項１又は２記載のスキンケアのための超音波及び微細電流の複合装置において、前記カートリッジ部は、本体に着脱可能とされていることを特徴とする。
【００２０】
請求項１４記載のスキンケアのための超音波及び微細電流の複合装置では、請求項１又は２記載のスキンケアのための超音波及び微細電流の複合装置において、本体内部には本体の動き又は位置を感知する加速度センサーが配置されており、超音波が照射される際、加速度センサーが本体の動き又は位置を感知して、本体の動きが停止していることを感知した場合に、超音波は１回照射後、停止されることを特徴とする。
【００２１】
請求項１５記載のスキンケアのための超音波及び微細電流の複合装置では、請求項１又は２記載のスキンケアのための超音波及び微細電流の複合装置において、前記制御回路部は、外部電源から電源供給を受けて、それぞれの回路を構成するブロックに作動電圧を供給する電源供給部；電源供給部から供給される電圧を受けて、超音波又は微細電流の作動を制御する制御部；微細電流を肌に供給するため、微細電流発生シグナルを形成する微細電流生成部；超音波を肌に供給するため、超音波発生シグナルを形成する超音波生成部、及び超音波生成部の信号を受けて、超音波を所定の共振周波数に合わせ増幅させる超音波増幅部を備えていることを特徴とする。
【００２２】
請求項１６記載のスキンケアのための超音波及び微細電流の複合装置では、請求項１５記載のスキンケアのための超音波及び微細電流の複合装置において、前記制御回路部は、  超音波増幅部の作動状態を感知し、作動状態によって制御信号を発信するセンサー作動の監視部を備えることを特徴とする。
【００２３】
請求項１７記載のスキンケアのための超音波及び微細電流の複合装置では、請求項１５記載のスキンケアのための超音波及び微細電流の複合装置において、前記制御回路部は、  超音波増幅部において、共振周波数の偏差が発生した場合、発生した偏差を整合するためのオートトレーシング機能を備えていることを特徴とする。
【００２４】
請求項１８記載のスキンケアのための超音波及び微細電流の複合装置では、請求項１５記載のスキンケアのための超音波及び微細電流の複合装置において、前記電源供給部は、  外部電源から供給された電源を保存するバッテリー部、及びバッテリー部から電圧の供給を受けて、供給された電圧を昇圧又は減圧する機能を有することを特徴とする。
【００２５】
請求項１９記載のスキンケアのための超音波及び微細電流の複合装置では、請求項１５記載のスキンケアのための超音波及び微細電流の複合装置において、前記制御部は、超音波生成部が作動すれば、微細電流生成部の作動を中止させ、微細電流生成部が作動すれば、超音波生成部の作動を中止させる機能を備えることを特徴とする。
【００２６】
請求項２０記載のスキンケアのための超音波及び微細電流の複合装置では、請求項１５記載のスキンケアのための超音波及び微細電流の複合装置において、前記制御部は、超音波発生信号によって作動する超音波増幅部の作動回数をカウントする機能をもつことを特徴とする。
【発明の効果】
【００２７】
本発明によると、肌に超音波エネルギーを伝達し、熱刺激又は熱凝固によって熱感が残る肌には微細電流を通じてマッサージが行われる。したがって、コラーゲンの活性化による肌の再生及び健康な肌を維持することができる。
また、複合装置は携帯用として持ち運びが容易であり、使用場所に制約がない。
【００２８】
本発明請求項１記載のスキンケアのための超音波及び微細電流の複合装置では、超音波又は微細電流を肌に供給する機能を備えているので、超音波と微細電流の作用により肌の美容効果が得られる。
超音波媒質を介して超音波が伝達される構成としているので、超音波媒質によって肌に伝達される刺激が最適に設定される。
ヘッド部は導体部を備えているので、この導体部を介して微細電流が肌に供給される。
導体部に、多元素鉱物を粉砕して形成した多元素鉱物粉状体を含有させているので、導体部からマイナスイオンが肌に供給され、マイナスイオンにより肌の保湿量を向上させてみずみずしさ（潤い）を保持する効果が得られる。
【００２９】
請求項２記載のスキンケアのための超音波及び微細電流の複合装置では、導体部に遠赤外線放射材料を粉砕して形成した遠赤外線放射粉状体を含有させているので、遠赤外線放射粉状体から遠赤外線が放射され、肌を内部から温めることができる。そのため、肌を効果的にケアできる。
【００３０】
請求項３記載のスキンケアのための超音波及び微細電流の複合装置では、ヘッド部はセンサー部を備えているので、肌の接触を感知した場合にのみ装置が稼働する。
【００３１】
請求項４記載のスキンケアのための超音波及び微細電流の複合装置では、センサー部は光センサー又は接触センサーによって構成されるので、これらセンサーの作用により肌との接触を感知した場合のみ超音波又は微細電流が供給される。
【００３２】
請求項５記載のスキンケアのための超音波及び微細電流の複合装置では、内部が超音波媒質で埋め尽くされた外部カートリッジ、及び外部カートリッジ内部に配置された超音波駆動信号を受信し超音波を発生させる内部カートリッジから構成されるので、これらカートリッジを交換することにより、一体として超音波発生振動素子の交換が可能である。
【００３３】
請求項６記載のスキンケアのための超音波及び微細電流の複合装置では、連結部、媒質貯蔵部、透過用フィルムがカートリッジケースに装着されているので、これらを一体として取り替えが可能である。
【００３４】
請求項７記載のスキンケアのための超音波及び微細電流の複合装置では、媒質貯蔵部は、カートリッジケースから遠くなるに従って内部が狭まる形状とされているので、超音波が先端部分に集約して効率的に照射される。
【００３５】
請求項８記載のスキンケアのための超音波及び微細電流の複合装置では、内部カートリッジは、上部側に陥没されるようにドーム形態を持つ超音波発生振動素子を備えているので、超音波の振動が効率的に伝達される。
【００３６】
請求項９記載のスキンケアのための超音波及び微細電流の複合装置では、超音波発生振動素子は直径が２ｍｍ以上２０ｍｍ以下の大きさを備えているので、装置本体が携帯に適したサイズに形成される。
【００３７】
請求項１０記載のスキンケアのための超音波及び微細電流の複合装置では、外部カートリッジの超音波発生振動素子とフィルム部の間には、シリコーンジェル、シリコーンオイル、脱イオン化水のいずれかの媒質が充填されているので、これらの媒質を介して肌に伝達される刺激が最適に調整される。
【００３８】
請求項１１記載のスキンケアのための超音波及び微細電流の複合装置では、第１ディスプレー部は、超音波が照射される回数を表示する照射回数表示部、及び超音波又は微細電流の供給状態を表示する状態表示部を備えているので、超音波発生振動素子の使用状態、カートリッジの交換時期等が確認できる。
【００３９】
請求項１２記載のスキンケアのための超音波及び微細電流の複合装置では、カートリッジケース上部にはカートリッジの超音波照射残量数を表示し、カートリッジ取り換え時期に対する情報を提供する第２ディスプレー部が備えられているので、カートリッジそれぞれについて個別に、超音波発生振動素子の使用状態、カートリッジの交換時期が確認できる。
【００４０】
請求項１３記載のスキンケアのための超音波及び微細電流の複合装置では、カートリッジ部は、上記の本体に着脱可能とされているので、超音波発生振動素子や超音波媒質の劣化に伴い、カートリッジを一体として取り替え可能である。
【００４１】
請求項１４記載のスキンケアのための超音波及び微細電流の複合装置では、加速度センサーが配置され、超音波が照射される際、加速度センサーが本体の動き又は位置を感知して、本体の動きが停止していることを感知すれば超音波は１回照射後、停止される構成とされているので、超音波を特定の部位に過剰に照射するおそれがない。
【００４２】
請求項１５記載のスキンケアのための超音波及び微細電流の複合装置では、制御回路部は、外部電源から電源供給を受けて、それぞれの回路を構成するブロックに作動電圧を供給する電源供給部；電源供給部から供給される電圧を受信して、超音波又は微細電流の作動を制御する制御部；微細電流を肌に供給するため、微細電流発生シグナルを形成する微細電流生成部；超音波を肌に供給するため、超音波発生シグナルを形成する超音波生成部、及び超音波生成部の信号を受けて、超音波を所定の共振周波数合わせ増幅させる超音波増幅部を備えているので、これらによって携帯可能な美容機器が実現される。
【００４３】
請求項１６記載のスキンケアのための超音波及び微細電流の複合装置では、センサー作動の監視部を備えているので、超音波増幅部の作動時に製品作動の安全性を考慮して制御部の制御信号を発生させるための作動状況を感知する。つまり、センサー作動の監視部は使用者が非正常的な使用状況及び肌に過作動を誘発する場合などを監視して超音波の過作動を制限する。
【００４４】
請求項１７記載のスキンケアのための超音波及び微細電流の複合装置では、オートトレーシング機能を備えているので、超音波増幅部で増幅された共振周波数が超音波発生振動素子の共振周波数と偏差が発生しても最適の共振周波数をオートトレーシングして共振周波数を整合することができる。
【００４５】
請求項１８記載のスキンケアのための超音波及び微細電流の複合装置では、電源供給部は、外部電源から供給された電源を保存するバッテリー部、及びバッテリー部から電圧の供給を受けて、供給された電圧を昇圧又は減圧する機能を備えているので、携帯可能な安定した電源供給システムが構築される。
【００４６】
請求項１９記載のスキンケアのための超音波及び微細電流の複合装置では、制御部は、超音波生成部が作動すれば、微細電流生成部の作動を中止させ、微細電流生成部が作動すれば、超音波生成部の作動を中止させる機能を備えるので、肌に対して超音波又は微細電流のいずれかが供給される。
【００４７】
請求項２０記載のスキンケアのための超音波及び微細電流の複合装置では、制御部は、超音波発生信号によって作動する超音波増幅部の作動回数をカウントする機能を有するので、装置の稼働に伴う超音波発生振動素子及び超音波媒質の使用状態を確認できる。
【図面の簡単な説明】
【００４８】
【図１】本発明の実施例に係る複合装置の正面図である。
【図２】本発明の実施例に係る複合装置の背面図である。
【図３】本発明の実施例に係る複合装置の左側面図である。
【図４】本発明の実施例に係る複合装置の制御回路部のブロック図である。
【図５】本発明の実施例に係るカートリッジ部の概略断面図である。
【図６】本発明の実施例に係るカートリッジ部の平面図である。
【図７】他の実施例に係るカートリッジ部の概略断面図である。
【発明を実施するための形態】
【００４９】
以下、添付した図面を参照して、本発明の望ましい実施例を詳細に説明する。
なお、本発明の具体的内容は本実施例に限定されるものではなく、発明の要旨を変更しない範囲の設計変更等があっても本発明に含まれる。
【００５０】
図１〜図３に示すとおり、本発明の複合装置の本体１００は、第１ディスプレー部２００、ボタン部３００、制御回路部４００、カートリッジ部５００及びヘッド部６００を備えている。
本体１００は美容機器の胴体として、本体１００の上部にはカートリッジ部５００が挿入して装着され、前面には第１ディスプレー部２００が備え付けられる。また、本体１００の左右側面にはボタン部３００がそれぞれ備えられて、本体１００内部には超音波を発生させるための回路が構成された制御回路部４００が配置されている。
【００５１】
第１ディスプレー部２００は、本体１００の前面に備え付けられ、超音波が照射される回数を表示する照射回数表示部２１０及び超音波又は微細電流の供給状態を表示する状態表示部２２０を備えている。
【００５２】
照射の回数表示部２１０は第１ディスプレー部２００の上段に位置して、超音波が肌に照射されると照射される回数を制御回路部４００でカウントして照射の回数表示部２１０に数字形式で表示される。
【００５３】
状態表示部２２０は第１ディスプレー部２００の下段に位置して、超音波又は微細電流の供給状態を表示する。つまり、状態表示部２２０には、現在状態が超音波モードか微細電流モードかどうかを確認できるように状態表示灯のような形で表し、超音波モードの場合は超音波集束作動の信号及び超音波の強さのレベルの状態を表す。
【００５４】
ボタン部３００は、本体１００の左右側面にそれぞれ備え付けられる。ボタン部３００は超音波モード又は微細電流モードが選択できるボタン３１０、肌の状態によって超音波の強さのレベルが選択できるレベルボタン３２０、及び選択されたレベルに合わせた超音波照射を始める超音波スタートボタン３３０が備えつけられる。
【００５５】
一例として、焦点式超音波モードを選択する時に、超音波信号の強さを調節するように備え付けられる。即ち、強、中、弱の強さを選択して焦点式超音波の作動ができるように備え付けられる。上記の焦点式超音波の強さは電流と電圧による超音波信号のレベル又はデューティ比の調節によって可変可能とされている。例えば、超音波信号のレベルを高める作動を通じて高い強さを出力することができ、 デューティ比を上昇させる作動を通じて高い強さを出力することができる。
【００５６】
また、使用者は微細電流モードを選択し、マッサージをする時にはヘッド部６００を使用部位に密着し、専用の化粧品類(ジェルタイプなど)を併用しながらゆっくりさする動作などを通じてマッサージを行うことができる。つまり、使用者が導体になった本体１００を手で握って、ヘッド部６００の導体部６１０を肌に接触することで、使用者の体を通じて微細電流が流れる方式を選択利用することができる。
なお、使用者が本体１００を手で握って他人に微細電流を加えるためには他人の肌にヘッド部６００の導体部６１０を接触させると、電流のサーキットがなりたたないため微細電流が供給できない。このような短所を補完するため、本発明の複合装置は別途の微細電流バンドと本体１００の下段に微細電流バンド端子１１０を用意して、微細電流バンドを他人の手に着用することで、使用者は他人に微細電流が供給されるようにすることができる。
【００５７】
このように、本発明による複合装置は美容のための超音波エネルギーを肌の真皮層まで供給した後、熱刺激の効果によってコラーゲンなどの活性化に寄与することができる。また、微細電流を通じて荒れ肌をマッサージすることができる。
【００５８】
続いて、本体１００の下段には、装置の電源をオン/オフできる電源ボタン３４０やバッテリーの残量の状態を示す表示灯がありバッテリーの充電状態を確認することができる。
これらにより、電源のオン/オフとバッテリー残量表示の二つの目的を達成できる。
制御回路部４００は本体１００の内部に配置されて超音波又は微細電流の作動及び制御を行うことができる。 
【００５９】
前記導体部６１０は、多元素鉱物を粉砕して形成した多元素鉱物粉状体を含有している。
多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００６０】
導体部６１０に多元素鉱物粉状体を混合させるには、例えば、多元素鉱物をボールミルやジェットミル等で約１〜３ミクロンに粉砕して粉状体に形成し、これを０．５〜１０％の比率で導体部６１０の原料中（例えば、溶融金属、溶融樹脂）に混合し、成形する方法による。
この場合、多元素鉱物粉状体は２種類以上を適宜に配合して使用することが好ましいが、１種類であってもよい。
又、多元素鉱物粉状体を水と混合し、加熱又は加圧したのち得た上澄み液を混合させてもよいし、真空凍結乾燥や噴霧乾燥により粉末にしたものを混合させてもよい。
【００６１】
多元素鉱物の例である真珠岩の成分を以下の表１に示す。
【００６２】
【表１】
2018075323.tif 000003
【００６３】
多元素鉱物（多元素鉱物粉状体）はマイナスイオン及び電磁波（微弱エネルギー）を発生させる性質を有し、多元素鉱物（多元素鉱物粉状体）から放射される４〜１４μｍの波長の電磁波（微弱エネルギ−）には、原子の核の周囲を電気的に変化させて原子、さらにその物質を励起状態（振動）にし、その結果、水のクラスター（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
この多元素鉱物を導体部６１０に含有させることにより、導体部６１０からマイナスイオンが放出され、マイナスイオンにより肌の保湿量を向上させてみずみずしさ（潤い）の保持効果が得られる。
【００６４】
また、導体部６１０には、多元素鉱物粉状体に加えて遠赤外線放射粉状体を含有させることができる。
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
このように、多元素鉱物粉状体に加えて、遠赤外線放射粉状体を含有させると、この遠赤外線放射粉状体から遠赤外線が放射され、肌を内部から温めることができ、肌を効果的にケアできる。
【００６５】
本発明でいう「含有」には、多元素鉱物粉状や遠赤外線放射粉状体を導体部６１０に直接練り込んで所定の形状に成型したものの他、多元素鉱物粉状や遠赤外線放射粉状体をコーティング剤に混合させて表面に塗布することでコーティング層（例えば、セラミックコーティング層、メッキ層、フッ素コーティング層、ナイロン層等）を形成させたものが含まれる。
セラミックコーティング層の形成方法については、多元素鉱物粉状や遠赤外線放射粉状体をコーティング剤である耐熱性フォーマイカに加えて塗料状にしたものを板状体に塗布し、これを加熱炉に通してコーティング剤を飛ばして（焼き付けて）形成する方法等による。
耐熱性フォーマイカに対する多元素鉱物粉状または遠赤外線放射粉状体の混合割合は、容積比で３〜１５％が望ましいがこの数値に限定されるものではない。
【００６６】
図４は、本発明の実施例に係る複合装置の制御回路部のブロック図である。
図４に示すとおり、制御回路部４００は電源供給部４１０、制御部４２０、微細電流生成部４３０、超音波生成部４４０及び超音波増幅部４５０を備えている。
【００６７】
電源供給部４１０は電源入力端子１３０を通って外部電源から電源供給を受けて、それぞれの回路を構成するブロックで作動電圧を供給する。また、電源供給部４１０はバッテリー部４１１と電圧調整部４１２を有している。バッテリー部４１１は、外部の電源から供給される電力を貯蔵して、これを所定の定電圧モードで電圧調整部４１２に供給する。電圧調整部４１２はバッテリー部４１１の電圧を受信して、これを昇圧、又は減圧して、それぞれの回路ブロックの作動に必要な電圧を生成する。
【００６８】
制御部４２０は電源供給部４１０から供給される電圧を受けて、微細電流生成部４３０、超音波増幅部４５０及び超音波生成部４４０の作動を制御する。
例えば、制御部４２０は超音波生成部４４０の作動に必要な第１の交流信号を発生させる。仮に、超音波増幅部４５０が７ＭＨzの周波数を持つ超音波信号による集束増幅作動を遂行しようとする場合、制御部４２０は７ＭＨzの交流信号を生成する。このため、制御部４２０は、入力される信号による発進作動を通じて７ＭＨzの周波数を持って第１レベルを持つ第１の交流信号を生成する。
【００６９】
また、制御部４２０は微細電流生成部４３０によって微細電流の作動を制御する。例えば、制御部４２０が、超音波生成部４４０を作動して第１の交流信号を発生すると、制御部４２０は微細電流の作動を停止させる。また、制御部４２０は微細電流の生成を作動する区間では超音波生成部４４０の作動を停止させる。
【００７０】
特に、制御部４２０は超音波生成部４４０によって超音波増幅部４５０の作動回数をカウントすることができる。つまり、１回の超音波増幅部４５０の照射作動の際に、特定周波数の超音波信号が発生し、これに連携して制御部４２０の制御によって超音波信号の発生が行われ、その後に停止する。これを１回の超音波作動としてカウントする。
【００７１】
微細電流生成部４３０は制御部４２０の制御信号によっては微細電流を肌に供給するための微細電流発生シグナルを形成する。微細電流生成部４３０で発生された微細電流はヘッド部６００に備え付けられた導体部６１０が肌と接触し、通電される。この時、微細電流生成部４３０から発生する微細電流は、電圧は２.５Ｖ以下、電流は４０μＡ以下に設定される。
【００７２】
超音波生成部４４０は制御部４２０の制御作動によって超音波増幅部４５０の作動に必要な超音波発生信号を形成する。つまり、制御部４２０で発生した第１の交流信号と制御信号によって超音波生成部４４０は超音波発生信号を形成する。上記の超音波発生の信号は特定の周波数を持つ区間と所定の直流レベルだけが現れる区間で構成される。
例えば、上記の超音波増幅部４５０が７ＭＨzの信号で振動作動を行う場合、第１の交流信号は第１レベルを持つ７ＭＨzの矩形波の様相を持つ。また、超音波発生信号は７ＭＨzの周波数が現れる区間及び直流レベルが現れている区間に設定される。したがって、一周期の超音波発生信号では７ＭＨzの周波数信号区間と休止期の一定の直流レベルが現れている区間に分離される。
【００７３】
また、超音波生成部４４０は直流-直流変換又は昇圧動作を通じて、上記の超音波発生信号のレベルを上昇させ、上昇されたレベルに応じた超音波駆動信号を生成する。超音波駆動信号は超音波増幅部４５０に認可され、超音波増幅部４５０は供給される超音波駆動信号により超音波を所定の共振周波数に増幅させる超音波増幅作動を遂行して増幅された超音波信号を肌に供給する。
【００７４】
本発明による超音波や微細電流の複合装置の制御回路部４００は超音波増幅部４５０が作動する時に作動状態を感知し、作動状態によって制御信号を形成するセンサーの作動監視部４６０及び超音波発生振動素子によって発生される共振周波数の偏差を整合する共振周波数の整合部４７０をさらに含めることができる。
【００７５】
センサー作動の監視部は超音波増幅部４５０の作動時に製品作動の安全性を考慮して制御部４２０の制御信号を発生させるための作動状況感知の役割をする。つまり、センサー作動の監視部４６０は使用者が非正常的な使用状況及び肌に過作動を誘発する場合などを監視して超音波の過作動を制限することができる。
【００７６】
一例で、ヘッド部６００に具備されたセンサー部が肌に密着されていない状態を感知した場合には、空気層を媒質に肌の表面に増幅された超音波が照射される状況を感知して照射作動を中止させる。
【００７７】
また、本体１００の内部に本体１００の動き又は位置を感知する加速度センサーが配置されている。この加速度センサーは超音波が均一に肌に照射されうるように作動変位を制御部４２０に伝え、一定の間隔で増幅された超音波が照射できるように感知する役割及び停止状態で増幅された超音波信号が肌の一ヵ所に連続的に集中照射される場合を感知し、これを防止する機能を有する。
例えば、製品の作動の安全性を考慮して超音波が照射される時、加速度センサーが本体１００の動き又は位置を感知して、本体１００が停止していることを感知すれば超音波は１回照射後、停止される。
【００７８】
共振周波数の整合部４７０は超音波増幅部４５０で共振周波数の偏差が発見されれば、発生した偏差を整合するため、オートトレーシング(Auto tracing)機能を備えている。
一般的に超音波発生振動素子は素材特性上、それぞれの共振周波数を持つことになるが、製造および加工工程上で共振周波数の偏差が発生することがあるため、製品に応用する時にはこうした偏差に対するそれぞれの整合作業が必要である。しかしながら、こうした共振周波数の整合作業は製品を少量生産する場合には対応が可能であるが、大量生産の場合に都度対応したら生産性が非常に低下する。したがって、本発明による超音波や微細電流の複合装置は共振周波数の整合部４７０を別途に備え付けることで、超音波増幅部４５０で増幅された共振周波数が超音波発生振動素子の共振周波数と偏差が発生しても最適の共振周波数をオートトレーシングして共振周波数を整合することができるために製品の生産性を向上させることができる。
【００７９】
図５は、本発明の実施例に係るカートリッジ部の概略断面図である。
図５に示すとおり、本発明による超音波や微細電流の複合装置のカートリッジ部５００は本体１００に着脱が可能なタイプとして搭載されている。カートリッジ部５００を本体１００に挿入するためには本体１００上部に設計されたカートリッジのカバー１２０をオープンした後、挿入して装着することができる。カートリッジ部５００が本体１００に装着されば、カートリッジ部５００の接触部は本体１００背面に露出され、露出された接触部が肌と接触することで超音波を肌に照射することができる。
【００８０】
また、カートリッジ部５００は、図５に示したとおり、超音波駆動信号を受信し、内部に超音波媒質５１６が充填された外部カートリッジ５１０、及び外部カートリッジ５１０の内部に配置されて超音波を発生させる内部カートリッジ５２０を備えている。
外部カートリッジ５１０は連結部５１１、カートリッジケース５１２、媒質貯蔵部５１３、透過用フィルム５１４やカバー（リング）５１５を備えている。
【００８１】
連結部５１１は片側が本体１００の制御回路部４００と連結されて、他側が内部カートリッジ５２０に配置された超音波発生振動素子５２１と連結される。つまり、連結部５１１は本体１００から超音波振動に必要な電気的信号の供給を受ければ、供給された電気的信号がワイヤ５２２を通じて超音波発生振動素子５２１に伝達される。
【００８２】
特に、連結部５１１は印刷回路基板の形で提供され、外部カートリッジ５１０に固定されている。印刷回路基板の形で提供される連結部５１１には不揮発性メモリが備え付けられることもあり、不揮発性メモリにはカートリッジ部５００の内部カートリッジ５２０の超音波発生振動素子５２１を駆動する回数に対する情報を保存することができる。不揮発性メモリに保存された駆動の回数に対する情報は制御部４２０に伝わり、制御部４２０は既に設定されたカートリッジ部５００の駆動の回数と比較する。これを通じて既に設定された駆動の回数に到達すれば、制御部４２０は駆動部の作動を停止させて、超音波発生振動素子５２１の作動を中止することができる。
カートリッジケース５１２は、連結部５１１を包むように形成されており、媒質貯蔵部５１３の超音波媒質５１６が外部に漏れないようにカバーする機能も持つ。
【００８３】
図６は本発明の実施例に係るカートリッジ部の平面図である。
図６に示すとおり、本発明によるカートリッジ部５００のカートリッジケース５１２上部にはカートリッジの寿命又は残量数を表示し、カートリッジの取り換え時期に対する情報を提供する第２ディスプレー部７００が備え付けられる。すなわち、第２ディスプレー部７００は上記の連結部５１１の不揮発性メモリに保存された超音波発生振動素子５２１の駆動回数についての情報を利用してカートリッジの寿命又は残量数を表示することができる。したがって、使用者はカートリッジ部５００を本体１００に装着した状態で使用中に本体１００上部に設けられたカートリッジカバー１２０をオープンすることで第２ディスプレー部７００に表示されたカートリッジの寿命又は残量を手軽にすぐに確認できる。
【００８４】
媒質貯蔵部５１３はカートリッジケース５１２下部に装着され、内部は超音波媒質５１６が充填されている。媒質貯蔵部５１３はカートリッジケース５１２から遠くなるほど内部が狭まる形状を持つ。一般的に、装置の使用の際、使用者は本体１００を手で握って使用者の肌(普通は顔)に接触して使用することになる。つまり、装置を立てて長期間使用することになるが、この時、超音波媒質５１６が満たされた媒質貯蔵部５１３内部の媒質が蒸散し気泡が発生することになる。こうした気泡は装置を立てて使用するために超音波が照射される透過用フィルム５１４部位に生成されて超音波照射に対する効果を低下させる。
【００８５】
したがって、気泡発生による弱点を補うため、本発明による複合装置は媒質貯蔵部５１３をカートリッジケース５１２から遠くなるほど内部が狭まる形状とされている。望ましくは、狭まる媒質貯蔵部５１３の下部は肌と接触される接触部の大きさと同様に形成することで、気泡が透過用フィルム５１４部位に生成される問題点を解決することができる。逆に媒質貯蔵部５１３がカートリッジケース５１２方向にますます広く形成されているため、媒質貯蔵部５１３に収容する超音波媒質５１６の量を最大化できるというメリットがある。
また、超音波媒質５１６は人体の肌又は他の組織と類似のインピーダンスを持つ種類なら、どれも望ましいことであるが、本実施例では蒸留水又はアルコール類などが超音波媒質５１６として使用可能である。
【００８６】
透過用フィルム５１４は媒質貯蔵部５１３の下部に配置される。透過用フィルム５１４は超音波媒質５１６が外部に漏れることを防止して、超音波媒質５１６を通じて伝達される超音波を肌に伝える機能を遂行する。透過用フィルム５１４の材質は望ましくはポリイミド(polyimide、PI)又はポリメチルペンテン(polymethylpentene、TPX)の材質が使用できる。
【００８７】
透過用フィルム５１４が付着する部位は金属又は高分子材質で形成されたリング状のカバー５１５が具備されて超音波媒質５１６が外部に漏れることを防止しており、透過用フィルム５１４が媒質内部に入らないように固定している。また、カバー５１５はリング状に形成されて透過用フィルム５１４とキャップ（蓋）構造を持つため、媒質貯蔵部５１３内の狭い空間でも透過用フィルム５１４を容易に固定できる。
内部カートリッジ５２０は媒質貯蔵部５１３を含めて、超音波発生振動素子５２１を含むことができる。
【００８８】
超音波発生振動素子５２１は内部カートリッジ５２０の下部に位置して、中心が上部側に陥没されるようにドーム形状とされ、連結部５１１とワイヤ５２２に接続され、連結部５１１から超音波振動に必要な電気的信号を供給される。
また、超音波発生振動素子５２１を含む内部カートリッジ５２０が、超音波媒質５１６に囲まれているために、超音波発生振動素子５２１の電気的信号を供給するワイヤが付着された面には超音波媒質５１６との接触を防止するため、エポキシなどを使用して埋める形で防水処理されている。
【００８９】
超音波発生振動素子５２１の大きさは携帯用装置に適合するように、望ましくは直径が２ｍｍ以上２０ｍｍ以下の大きさを持つことができる。超音波発生振動素子５２１の大きさを２ｍｍより小さく製作するのは製作の困難が付きまとい、２０ｍｍより大きく製作するのは携帯用装置に不適合である。また、使用周波数は４ＭＨz 〜１０ＭＨz が望ましく、エネルギーは０．２０Ｊ〜１．５Ｊが望ましい。
【００９０】
本発明による超音波発生振動素子５２１は内部カートリッジ５２０下部に固定される方式を使用しているが、必要に応じて超音波発生振動素子５２１を内部カートリッジ５２０内で上下又は左右に位置を可変するため、カートリッジ部５００の内部にリニアモーター又はヘリカル型(らせん型)構造の移動手段が具備される。
【００９１】
図７は、他の実施例に係るカートリッジ部の概略断面図である。
図７に示すとおり、本発明の他の実施例によるカートリッジ部５００は媒質貯蔵部５１３内に固相媒質のフィルム部５３１、及び超音波発生振動素子５２１と上記のフィルム部５３１の間に形成される超音波媒質５３２を含めることができる。
【００９２】
フィルム部５３１は図７に示したとおり、上部は超音波発生振動素子５２１の形状に対応されるように中心部が凸型のドーム形状を持って、超音波発生振動素子５２１と所定の距離の隔たりが設けられ、下部は肌と接触できるように平らな形状を持って、超音波媒質５３２が外部に漏れないように媒質貯蔵部５１３下部の内径と同様の大きさとされている。
【００９３】
フィルム部５３１は固相媒質、望ましくはシリコーン素材である。
また、超音波発生振動素子５２１と上記のフィルム部５３１の間に形成された超音波媒質５３２はシリコーンジェル、シリコーンオイルやDI Water(脱イオン化水)などのような液体成分の媒質によって構成される。
【００９４】
続いて、図２を参照すると、ヘッド部６００は本体１００の本体背面の上段に位置して背面側の水平方向に突設され、制御回路部４００を通じて生成された超音波又は微細電流を肌に供給する。
ヘッド部６００は肌と接触して、微細電流を流すための導体部６１０及び肌との接触を感知するセンサー部６２０を有している。また、本体１００の上部を通じて挿入して装着されたカートリッジ部５００の透過用フィルム５１４とカバー５１５がヘッド部６００の中心部に露出され、上記の導体部６１０及びセンサー部６２０と共に肌と接触することができる。したがって、使用者はヘッド部６００の中心部に位置した透過用フィルム５１４とカバー５１５を肌と接触させることで、超音波を肌に照射することができるし、導体部６１０を肌と接触させることで微細電流を肌に供給することができる。 
【００９５】
また、センサー部６２０は肌との接触を感知できるように透過用フィルム５１４の両側に配置されることもあり、センサー部６２０は光センサー又は接触センサーから構成される。つまり、両側に備え付けられたセンサー部６２０のいずれかにおいて肌との接触を感知した時だけに超音波が照射される。
【００９６】
上述のように、本発明では携帯用機器としての複合美容機器が提供される。これを通じて、使用者は場所の制約がなく、肌の美容を行うことができるし、超音波集束を通じた肌の美容以外に微細な電流を利用したマッサージを行うことができる。
尚、本明細書と図面に開示された本発明の実施例は、本発明の理解を助けるため、特定の例を示したことに過ぎず、本発明の範囲を限定しようとすることではない。ここに開示された実施例以外にも、本発明の技術的思想に基づいた他の変形例が実施可能であることは、本発明の技術分野における通常の知識に基づいて自明である。
【符号の説明】
【００９７】
100  本体
110  微細電流バンド端子
120  カートリッジカバー
130  電源入力端子
200  第１ディスプレー部
210  回数表示部
220  状態表示部
300  ボタン部
310  ボタン
320  レベルボタン
330  スタートボタン
400  制御回路部
410  電源供給部
411  バッテリー部
412  電圧調整部
420  制御部
430  微細電流生成部
440  超音波生成部
450  超音波増幅部
460  センサーの作動監視部
470  共振周波数の整合部
500  カートリッジ部
510  外部カートリッジ
511  連結部
512  カートリッジケース
513  媒質貯蔵部
514  透過用フィルム
515  リング（カバー）
516  超音波媒質
520  内部カートリッジ
521  超音波発生振動素子
522  ワイヤ
531  フィルム部
532  超音波媒質
600  ヘッド部      
610  導体部
620  センサー部    
700  第２ディスプレー部
【図１】
2018075323.tif 000004
【図２】
2018075323.tif 000005
【図３】
2018075323.tif 000006
【図４】
2018075323.tif 000007
【図５】
2018075323.tif 000008
【図６】
2018075323.tif 000009
【図７】
2018075323.tif 000010